【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
各パターンユニットが一意のパターンアドレスを有する情報管理システムで全体的コード化パターンのパターンユニットを割り当てる方法であって、
複数のパターンユニットの割当要求を受け取ることと、
前記全体的コード化パターンの電子的表現を探索して、割当に利用可能な前記複数のパターンユニットを見つけ出すことと、
前記表現内の前記複数のパターンユニットの状態標識をセットして、割り当てられた状態を指示することと、
前記複数のパターンユニットのパターンアドレスの指示を出力することと、
を含むことを特徴とする方法。
【請求項２】
前記パターンユニットは、前記パターンアドレスによって順序をもって定義され、
前記探索は、前記複数のパターンユニットを前記順序の連続パターンユニットとして見つけ出すことを含む、請求項１に記載の方法。
【請求項３】
前記パターンユニットは、複数の群に分割され、
前記探索は、前記複数の群のうちの一つの内で前記複数のパターンユニットを見つけ出すことを含む、請求項１または２に記載の方法。
【請求項４】
少なくとも一つのパターンユニットの前記状態標識を割当状態から解放状態に選択的に変更することをさらに含む、請求項１から３のいずれかに記載の方法。
【請求項５】
前記状態標識が割当状態にセットされてからの経過時間に基づいて前記変更が行われる、請求項４に記載の方法。
【請求項６】
解放要求の受取に基づいて前記変更が行われる、請求項４または５に記載の方法。
【請求項７】
前記解放状態は、前記パターンユニットが割当に利用可能であることを示す、請求項４〜６のいずれか一項に記載の方法。
【請求項８】
前記解放状態は、状態標識が解放状態にセットされてから予め定められた時間後に前記パターンユニットが割当に利用可能であることを示す、請求項７に記載の方法。
【請求項９】
前記探索は少なくとも部分的に前記状態標識に基づく、請求項４〜８のいずれか一項に記載の方法。
【請求項１０】
前記探索は、状態標識が解放状態のパターンユニットの中で探索が行われる再使用ステップを含む、請求項９に記載の方法。
【請求項１１】
前記探索は、再使用ステップが成功しなかった場合に、前記表現内で以前に割り当てられていないパターンユニットの中で前記パターンユニットを見つけ出すことを含む、請求項１０に記載の方法。
【請求項１２】
少なくとも一つのパターンユニットの状態標識を割当状態からロック状態に選択的に変更することをさらに含む、請求項１〜１１のいずれか一項に記載の方法。
【請求項１３】
前記ロック状態は、前記パターンユニットに関する情報が前記情報管理システム内での転送を阻止されることを示す、請求項１２に記載の方法。
【請求項１４】
少なくとも一つのパターンユニットの状態標識をロック状態から割当状態に選択的に変更することをさらに含む、請求項１２または１３に記載の方法。
【請求項１５】
少なくとも一つのパターンユニットの状態標識をロック状態から解放状態に選択的に変更することをさらに含む、請求項１２〜１４のいずれか一項に記載の方法。
【請求項１６】
前記変更は、前記状態標識がロック状態にセットされてからの経過時間に基づいて行われる、請求項１５に記載の方法。
【請求項１７】
前記変更は、影響を受ける各パターンユニットのパターンアドレスを示す状態変化要求の受取に基づいて行われる、請求項４、１２、１４、または１５に記載の方法。
【請求項１８】
前記探索は前記電子的表現の少なくとも一部を含むデータ構造で行われ、前記データ構造は一組のレコードを含み、各レコードはパターンアドレスフィールドおよび状態標識フィールドを含む、請求項１〜１７のいずれか一項に記載の方法。
【請求項１９】
各レコードは一つの割当要求を表す、請求項１８に記載の方法。
【請求項２０】
各レコードは、電子文書の一組のページに割り当てられたパターンユニットを表す、請求項１８に記載の方法。
【請求項２１】
各レコードは割り当てられたパターンユニットの個数を示すフィールドを含む、請求項１９または２０に記載の方法。
【請求項２２】
各レコードは一つのパターンユニットを表す、請求項１８に記載の方法。
【請求項２３】
前記状態標識をセットすることは、前記データ構造からレコードを削除することを含む、請求項１８〜２２のいずれか一項に記載の方法。
【請求項２４】
前記表現は前記パターンアドレスによって定義された前記パターンユニットの順序付けを含み、
前記方法は、
前記データ構造で、開放状態の状態標識フィールドおよび前記順序付けで隣接するパターンアドレスの両方を有するレコードを見つけ出すことと、
そのようなレコードを併合することと、
をさらに含む、請求項４〜１１のいずれか一項と組み合わされた請求項１８〜２３のいずれか一項に記載の方法。
【請求項２５】
前記割当要求から少なくとも一つの宛先標識を導出することと、
前記複数のパターンユニットの前記パターンアドレスに関連して宛先標識を格納することと、
をさらに含む、請求項１〜２４のいずれか一項に記載の方法。
【請求項２６】
情報管理システムで全体的コード化パターンのパターンユニットを割り当てるための装置であって、
前記装置は、前記全体的コード化パターンの電子的表現を含むストレージと、第一インタフェースと、処理ユニットと、を備え、
前記処理ユニットは、
前記第一インタフェースで複数のパターンユニットの割当要求を受け取るための手段と、
前記ストレージで前記表現を探索して、割当に利用可能な前記複数のパターンユニットを見つけ出すための手段と、
前記表現内の前記複数のパターンユニットの状態標識をセットして割当状態を示すための手段と、
前記複数のパターンユニットの前記パターンアドレスの指示を前記第一インタフェースで出力するための手段と
を備えたことを特徴とする装置。
【請求項２７】
前記システムは、前記複数のパターンユニットに基づくコード化層を持つ製品の生成を調整する生成ツールを備え、
前記第一インタフェースが前記生成ツールとの通信用に適応される、請求項２６に記載の装置。
【請求項２８】
前記装置は、第二インタフェースをさらに備え、
前記処理ユニットは、影響を受ける各パターンユニットのパターンアドレスを示す状態変化要求を前記第二インタフェースで受け取るための手段を含む、請求項２６または２７に記載の装置。
【請求項２９】
データは前記システムで複数の宛先ユニットへ選択的に転送され、前記第二インタフェースは前記宛先ユニットとの通信用に適応される、請求項２８に記載の装置。
【請求項３０】
前記処理ユニットは、
前記割当要求に関連付けられる少なくとも一つのデータ識別子を前記第一インタフェースで受け取るための手段と、
前記データ識別子を前記表現に前記複数のパターンユニットに関連して格納するための手段と、
をさらに備える、請求項２６〜２９のいずれか一項に記載の装置。
【請求項３１】
前記処理ユニットは、
少なくとも一つのパターンアドレスを示すデータ識別子要求を前記第二インタフェースで受け取るための手段と、
前記パターンアドレスに基づいて前記表現内のデータ識別子を識別するための手段と、
識別されたデータ識別子を前記第二インタフェースで出力するための手段と、
をさらに備える、請求項２８または２９と組み合わされた請求項３０に記載の装置。
【請求項３２】
前記処理ユニットは、少なくとも一つのパターンユニットの状態標識を前記割当状態からロック状態へ選択的に変更するための手段をさらに備える、請求項２６〜３１のいずれか一項に記載の装置。
【請求項３３】
前記ロック状態は、前記パターンユニットに関する情報が前記システム内での転送を阻止されることを示す、請求項３２に記載の装置。
【請求項３４】
前記処理ユニットは、少なくとも一つのパターンユニットの状態標識をロック状態から割当状態へ選択的に変更するための手段をさらに備える、請求項３２または３３に記載の装置。
【請求項３５】
前記処理ユニットは、少なくとも一つのパターンユニットの状態標識を、前記パターンユニットが割当に利用可能であることを示す解放状態へ選択的に変更するための手段をさらに備える、請求項２６〜３４のいずれか一項に記載の装置。
【請求項３６】
前記処理ユニットは、
少なくとも一つの宛先標識を前記第一インタフェースで受け取るための手段と、
前記複数のパターンユニットのパターンアドレスに関連して前記宛先標識を格納するための手段と、
をさらに備える、請求項２６〜３５のいずれか一項に記載の装置。
【請求項３７】
前記装置は、第三インタフェースをさらに備え、
前記処理ユニットは、少なくとも一つのパターンアドレスを示す宛先標識要求を前記第三インタフェースで受け取るための手段と、
前記パターンアドレスに基づいて前記表現内で宛先標識を識別するための手段と、
識別された宛先標識を前記第三インタフェースで出力するための手段と、
を備える、請求項３６に記載の装置。
【請求項３８】
前記システムは、前記パターンユニットの少なくとも一つに関連付けられるデータを複数の宛先ユニットの一つに振り向けるフローコントローラを備え、
前記第三インタフェースは前記フローコントローラとの通信用に適応される、請求項３７に記載の装置。
【請求項３９】
複数のパターンユニットに基づくコード化層を持つ製品の生成を調整する生成ツールと、
前記複数のパターンユニットの少なくとも一つに関連付けられるデータであって前記製品上で電子ペンによって記録されるデータを複数の宛先ユニットの一つに振り向けるフローコントローラと、
前記生成ツールと通信する請求項２６〜３８のいずれか一項に記載の装置と、
を備えたことを特徴とする情報管理システム。
【請求項４０】
情報管理システムで位置コード化製品に関連付けられたデータの電子ペンから複数の宛先ユニットの一つへの流れを制御する方法であって、
前記位置コード化製品を生成するために全体的コード化パターンの少なくとも一つのパターンユニットを割り当てることと、
各々の割り当てられたパターンユニットの状態標識を選択的にセットして複数の状態の一つを示すことと、
少なくとも部分的に前記状態標識に基づいて前記システム内のデータの流れを制御することと、
を含むことを特徴とする方法。
【請求項４１】
前記状態標識は、前記割り当てられたパターンユニットに関連付けられるデータを前記一つの宛先ユニットに転送することができることを意味する割当状態を示す、請求項４０に記載の方法。
【請求項４２】
割当状態を示す前記状態標識は宛先標識に関連付けられ、前記宛先標識は前記一つの宛先ユニットの通信アドレスを示す、請求項４１に記載の方法。
【請求項４３】
解放状態を示すように前記状態標識をセットすることによって、前記割り当てられたパターンユニットに関連付けられるデータを前記一つの宛先ユニットへ転送することを不可逆的に阻止することを含む、請求項４０〜４２のいずれか一項に記載の方法。
【請求項４４】
前記割り当てられたパターンユニットが、前記解放状態でさらなる割当に利用可能になる、請求項４３に記載の方法。
【請求項４５】
ロック状態を示すように前記状態標識をセットすることによって、前記割り当てられたパターンユニットに関連付けられるデータを前記一つの宛先ユニットへ転送することを可逆的に阻止することを含む、請求項４０〜４４のいずれか一項に記載の方法。